(57)【特許請求の範囲】
【請求項１】
次の（１）〜（14）の構成を備えたことを特徴とする敷板。
（１）建設現場や工事現場などで使用されるジャッキベース又は固定ベースの下に設置される敷板において、板状の基材にジャッキベースを収容配置できる広さのジャッキベース用凹部と、固定ベースを収容配置できる広さの固定ベース用凹部を備えている。
（２）前記両凹部は大きさが異なり且つ基材の上面よりも一段窪んだ有底であり、横方向一つの角部が重なって基板の横方向に位置がずれている。
（３）前記ジャッキベース用凹部の外側であって前記基材の上面の下にジャッキベース回転空間がある。
（４）前記固定ベース用凹部の外側であって前記基材の上面の下に固定ベース回転空間がある。
（５）前記ジャッキベース回転空間は前記ジャッキベース用凹部の外周面の出入口を通じて当該ジャッキベース用凹部と連通している。
（６）前記出入口は前記ジャッキベース用凹部に収容配置したジャッキベースを当該ジャッキベース用凹部内で水平回転させると当該ジャッキベースの角部が進入できる広さである。
（７）前記ジャッキベース回転空間は前記出入口から進入したジャッキベースの角部が水平回転できる広さである。
（８）前記ジャッキベース回転空間には水平回転させたジャッキベースの角部が当たって当該水平回転を規制できる回転ストッパがあり、この回転ストッパは前記ジャッキベース回転空間内の水平回転方向先方に設けられている。
（９）前記ジャッキベース回転空間の上には当該ジャッキベース回転空間内に進入したジャッキベースの角部が鉛直方向に抜けるのを規制する抜けストッパを備えている。
（10）前記固定ベース回転空間は前記固定ベース用凹部の外周面の出入口を通じて当該固定ベース用凹部と連通している。
（11）前記出入口は前記固定ベース用凹部に収容配置した固定ベースを当該固定ベース用凹部内で水平回転させると当該固定ベースの角部が進入できる広さである。
（12）前記固定ベース回転空間は前記出入口から進入した固定ベースの角部が水平回転できる広さである。
（13）前記固定ベース回転空間には水平回転させた固定ベースの角部が当たって当該水平回転を規制できる回転ストッパがあり、この回転ストッパは前記固定ベース回転空間内の水平回転方向先方に設けられている。
（14）前記固定ベース回転空間の上には当該回転空間内に進入した固定ベースの角部が鉛直方向に抜けるのを規制する抜けストッパを備えている。
【発明の詳細な説明】
【技術分野】
【０００１】
本発明は、作業足場を組み立てる際に使用されるジャッキや固定具の下板（ジャッキベース、固定ベース）を支持する敷板に関するものである。
【背景技術】
【０００２】
建設現場や工事現場などでジャッキ（図２）や固定具（図３）を使用する場合、ジャッキベースや固定ベースの下に敷板を設置している。敷板には各種形状、構造のものがある（例えば、特許文献１〜３）。これら特許文献の敷板のほかに木製の敷板も知られている。
【先行技術文献】
【特許文献】
【０００３】
【特許文献１】特開平０８−３１２１３０号公報
【特許文献２】特開平１０−１２１７１５号公報
【特許文献３】実用新案登録第２５０９３７３号公報
【発明の概要】
【発明が解決しようとする課題】
【０００４】
一般的に、ジャッキベースは一辺が１４０ｍｍ程度、固定ベースは一辺が１２０ｍｍ程度の方形であり、サイズ寸法が異なるため、それらを支持する敷板のサイズも異なる。このため、両敷板を別々に用意しなければならないという面倒があった。また、サイズの小さな固定ベース用の敷板を設置すべき箇所に、サイズの大きなジャッキベース用の敷板を設置すると、大きなジャッキベース用の敷板の上に設置した固定ベースが不安定になるとか、間違えた敷板を交換するために足場組み立て作業が遅延するといったことがあった。
【０００５】
前記敷板が木製の場合は、溶接作業時に発生する火花などによる引火を防ぐため、防炎シートで包んで使用する必要があり、使用が面倒であった。
【０００６】
本発明の解決課題は、一枚で、ジャッキベースと固定ベースの双方を安定して設置可能な敷板を提供することにある。
【課題を解決するための手段】
【０００７】
本発明の敷板は次の（１）〜（14）のように構成されたものである。
（１）建設現場や工事現場などで使用されるジャッキベース又は固定ベースの下に設置される敷板において、板状の基材にジャッキベースを収容配置できる広さのジャッキベース用凹部と、固定ベースを収容配置できる広さの固定ベース用凹部を備えている。
（２）前記両凹部は大きさが異なり且つ基材の上面よりも一段窪んだ有底であり、横方向一つの角部が重なって基板の横方向に位置がずれている。
（３）前記ジャッキベース用凹部の外側であって前記基材の上面の下にジャッキベース回転空間がある。
（４）前記固定ベース用凹部の外側であって前記基材の上面の下に固定ベース回転空間がある。
（５）前記ジャッキベース回転空間は前記ジャッキベース用凹部の外周面の出入口を通じて当該ジャッキベース用凹部と連通している。
（６）前記出入口は前記ジャッキベース用凹部に収容配置したジャッキベースを当該ジャッキベース用凹部内で水平回転させると当該ジャッキベースの角部が進入できる広さである。
（７）前記ジャッキベース回転空間は前記出入口から進入したジャッキベースの角部が水平回転できる広さである。
（８）前記ジャッキベース回転空間には水平回転させたジャッキベースの角部が当たって当該水平回転を規制できる回転ストッパがあり、この回転ストッパは前記ジャッキベース回転空間内の水平回転方向先方に設けられている。
（９）前記ジャッキベース回転空間の上には当該ジャッキベース回転空間内に進入したジャッキベースの角部が鉛直方向に抜けるのを規制する抜けストッパを備えている。
（10）前記固定ベース回転空間は前記固定ベース用凹部の外周面の出入口を通じて当該固定ベース用凹部と連通している。
（11）前記出入口は前記固定ベース用凹部に収容配置した固定ベースを当該固定ベース用凹部内で水平回転させると当該固定ベースの角部が進入できる広さである。
（12）前記固定ベース回転空間は前記出入口から進入した固定ベースの角部が水平回転できる広さである。
（13）前記固定ベース回転空間には水平回転させた固定ベースの角部が当たって当該水平回転を規制できる回転ストッパがあり、この回転ストッパは前記固定ベース回転空間内の水平回転方向先方に設けられている。
（14）前記固定ベース回転空間の上には当該回転空間内に進入した固定ベースの角部が鉛直方向に抜けるのを規制する抜けストッパを備えている。
【０００８】
【０００９】
【００１０】
【００１１】
【００１２】
【発明の効果】
【００１３】
本発明の敷板は、一枚の基板にジャッキベース用と固定ベース用の配置凹部を備えているため、敷板をジャッキベース用と固定ベース用に別々に用意する必要がなく、在庫、搬送、使用上の管理が容易になり、ジャッキベース用と固定ベース用を取違えることがなく、取違えによる作業遅延や交換作業の面倒等もない。
【図面の簡単な説明】
【００１４】
【図１】本発明の敷板の一例を示す平面図。
【図２】（ａ）は敷板にジャッキベースを設置する場合の斜視図、（ｂ）はジャッキベース用凹部の説明図。
【図３】（ａ）は敷板にジャッキベースを設置する場合の説明図、（ｂ）は本発明の敷板にジャッキベースを設置した場合の説明図。
【図４】（ａ）は敷板に固定ベースを設置する場合の斜視図、（ｂ）は固定ベース用凹部の説明図。
【図５】（ａ）は敷板に固定ベースを設置する場合の説明図、（ｂ）は本発明の敷板に固定ベースを設置した場合の説明図。
【図６】（ａ）は図１に示す敷板のジャッキベース用凹部にセットしたジャッキベース回転説明平面図、（ｂ）は図１に示す敷板の固定ベース用凹部にセットした固定ベースにセットしたのみを示した平面図。
【図７】（ａ）は敷板のジャッキベースセット部にジャッキベースをセットした状態を示す図１のＡ−Ａ断面図、（ｂ）はジャッキベースセット部にセットしたジャッキベースを回転させた状態を示す図１のＢ−Ｂ断面図。
【図８】（ａ）は敷板の固定ベースセット部に固定ベースをセットした状態を示す図１のＣ−Ｃ断面図、（ｂ）は固定ベースセット部にセットした固定ベースを回転させた状態を示す図１のＤ−Ｄ断面図。
【図９】本発明の敷板の一例であり、ジャッキベース用凹部と固定ベース用凹部を横にずらして設けた場合の一例を示す説明図。
【図１０】本発明の敷板を段差の上に設置した場合の一例を示す断面説明図。
【発明を実施するための形態】
【００１５】
（実施形態１）
［敷板］
本発明の敷板の一例を図面に基づいて説明する。この敷板１は一枚の方形の基材２に、方形のジャッキベースＸ（図２（ａ））と、ジャッキベースＸよりもサイズの小さな方形の固定ベースＹ（図４（ａ））の双方を配置できるようにしてある。そのため、一枚の基材２にジャッキベースＸを配置できる形状及びサイズのジャッキベース用凹部３（図１、図２（ａ））と、固定ベースＹを配置できる形状及びサイズの固定ベース用凹部４（図１、図４（ａ））を備えている。
【００１６】
［ジャッキベース用凹部、固定ベース用凹部］
図１に示すように、前記ジャッキベース用凹部３と固定ベース用凹部４は共用であり、ジャッキベースＸと固定ベースＹの双方を配置できる大きさの四角形にしてある。ジャッキベース用凹部３と固定ベース用凹部４は水平方向に角度をずらして同一面上に形成してある。
【００１７】
ジャッベース用凹部３と固定ベース用凹部４は、図７（ａ）（ｂ）、図８（ａ）（ｂ）に示すように、基材２の上面５よりも一段窪ませ、夫々の凹部３、４の上面を開口させて上面開口部６を設けてある。ジャッキベース用凹部３はその四隅をジャッキベースセット部７（図１、図２（ａ）（ｂ））とし、固定ベース用凹部４はその四辺８に三角形の切り込みを設けてそれら切込みを固定ベースセット部９（図１、図４（ａ）（ｂ））としてある。図１に示すように、固定ベース用凹部４はジャッキベース用凹部３と共用であるが、固定ベースセット部９をジャッキベース用凹部３と水平回転方向にずらして形成してある。ジャッキベースセット部７はジャッキベースＸの角部１０を嵌入（セット）できる形状と大きさにしてあり、固定ベースセット部９は固定ベースＹの角部１１を嵌入（セット）できる形状と大きさにしてある。
【００１８】
ジャッキベース用凹部３、固定ベース用凹部４、ジャッキベースセット部７、固定ベースセット部９を前記構成とすることにより、ジャッキベースＸはその四つの角部１０をジャッキベースセット部７に位置合わせして、ジャッキベース用凹部３の上面開口部６から配置することができ、固定用ベースＹはその四つの角部１１を固定ベースセット部９に位置合わせして、固定ベース用凹部４の上面開口部６から配置することができるようにしてある。
【００１９】
［ジャッキベース出入口、回転空間、回転ストッパ、抜けストッパ］
前記ジャッキベース用凹部３の外周縁部には、図２（ａ）（ｂ）に示すようにジャッキベース出入口１２と、ジャッキベース回転空間１３と、ジャッキベース回転ストッパ１４と、ジャッキベース抜けストッパ１５がある。
【００２０】
［ジャッキベース出入口］
ジャッキベース出入口１２はジャッキベースセット部７に開口連通しており、ジャッキベースセット部７にセットされたジャッキベースＸを時計回転方向に回転させるとジャッキベースＸの角部１０（図２（ａ）、図３（ａ））が進入でき、ジャッキベースＸを反時計回転方向に水平回転させると前記角部１０が抜け出るように開口されている。
【００２１】
［ジャッキベース回転空間］
ジャッキベース回転空間１３（図２（ａ）（ｂ）、図３（ａ）（ｂ））はジャッキベース出入口１２に連通しており、ジャッキベースＸを水平回転させるとジャッキベースＸの角部１０がジャッキベース出入口１２からジャッキベース回転空間１３内に進入して、当該回転空間１３内を水平回転させることができる。この場合、図６（ａ）に示すようにジャッキベースＸの角部１０が外側の円形線Ｃｏの線上を回転する。
【００２２】
［ジャッキベース回転ストッパ］
ジャッキベース回転ストッパ１４は図２（ｂ）に破線で示すように回転空間１３の角部に設けてあり、外側の円形線Ｃｏの線上を水平回転させたジャッキベースＸの角部１０が接触してそれ以上回転せず、位置決めされるようにしてある。
【００２３】
［ジャッキベース抜けストッパ］
ジャッキベース抜けストッパ１５はジャッキベース回転空間１３の上に被さるように形成されており、前記のように位置決めされたジャッキベースＸが、図７（ｂ）に示すようにジャッキベース回転空間１３から鉛直方向（図７（ｂ）では上方）に抜けないようにしてある。
【００２４】
［固定ベース出入口、回転空間、回転ストッパ、抜けストッパ］
前記固定ベース用凹部４の外周縁部には、図４（ａ）に示すように固定ベース出入口１６と、固定ベース回転空間１７と、固定ベース回転ストッパ１８と、固定ベース抜けストッパ１９がある。
【００２５】
［固定ベース出入口］
固定ベース出入口１６は固定ベースセット部９に開口連通しており、固定ベースセット部９にセットされた固定ベースＹを時計回転方向に回転させると固定ベースＹの角部１１が進入でき、固定ベースＹを反時計回転方向に水平回転させると角部１１が抜け出るようにしてある。
【００２６】
［固定ベース回転空間］
固定ベース回転空間１７は固定ベース出入口１６に連通しており、固定ベース出入口１６に進入した固定ベースＹの角部１１が水平回転できる広さにしてある。固定ベース用回転空間１７は、図４（ａ）、図５（ａ）（ｂ）に示すように水平回転させると、固定ベースＹの角部１１が図６（ｂ）に示す内側の円形線Ｃｉ上を回転し、その角部１１が固定ベース回転ストッパ１８に当接するまで回転して停止し、位置決めされる。
【００２７】
［固定ベース回転ストッパ］
固定ベース回転ストッパ１８は固定ベース回転空間１７内を水平回転した固定ベースＹの角部１１が当接して水平回転が停止し、固定ベースＹが停止位置に位置決めされるようにしてある。
【００２８】
［固定ベース抜けストッパ］
固定ベース抜けストッパ１９は固定ベース回転空間１６の上に被さるように形成されており、前記のように位置決めされた固定ベースＹが固定ベース回転空間１６から鉛直方向（図８（ｂ）では上方）に抜けないようにしてある。
【００２９】
［敷板の材質、製法］
本発明の敷板１は樹脂製、金属製といった任意の材質で製造することができる。樹脂製の場合は、工事現場の防災面から難燃性と耐候性の双方又は少なくともいずれか一方を備えた材質製とするのが好ましく、例えば、ポリプロピレンやポリエチレンなどを用いることができる。金属製の場合は、ジャッキベースセット部が形成された金属板、固定ベースセット部が形成された金属板、それらが形成されていない金属板等を積層して形成することができる。
【００３０】
［使用例１：ジャッキベース用凹部へのジャッキベースの設置］
本発明の敷板１へのジャッキベースＸの設置は次のようにして行うことができる。
（１）ジャッキベースＸを、敷板１のジャッキベース用凹部３へ配置する。このとき、ジャッキベースＸの角部１０をジャッキセット部７に位置合わせしてセットする。（図３（ａ）、図７（ａ））。
（２）前記のようにセットした敷板１を時計回り方向に水平回転させて、ジャッキベースＸをジャッキベース出入口１２からジャッキベース回転空間１３内に進入させて、当該回転空間１３内を回転させる。
（３）前記回転をジャッキベースＸの角部１０がジャッキベース回転ストッパ１４に当たるまで回転させて、当該角部１０をジャッキベース抜けストッパ１５の下に入れる。これにより、ジャッキベースＸの不用意な回転が防止され、上方への抜けが防止されて、敷板１の上に安定して配置固定される（図３（ｂ）、図７（ｂ））。
【００３１】
［ジャッキベースの取外し］
ジャッキベースＸを敷板１から取り外すときは次のようにして行うことができる。
（１）ジャッキベースＸを反時計回りに水平回転（前回と逆回転）させて、ジャッキベース回転空間１３からジャッキベース出入口１２の外まで回転させて、ジャッキベースＸの角部１０をジャッキベースセット部７に位置合わせする。
（２）前記のように位置合わせしたジャッキベースＸを持ち上げてジャッキベースＸを敷板１から取り外す。
【００３２】
［使用例２：固定ベース用凹部への固定ベースの設置］
本発明の敷板１への固定ベースＹの設置は、例えば次のように行う。
（１）固定ベースＹを、敷板１の固定ベース用凹部４へ配置する。このとき、固定ベースＹの角部１１を固定ベースセット部９に位置合わせする（セット）する（図５（ａ）、図８（ａ））。
（２）前記のようにセットした敷板１を、時計回り方向に水平回転させて、固定ベースＹを固定ベース出入口１６から固定ベース回転空間１７内に入れて、当該回転空間１７内を回転させる。
（３）前記回転を固定ベースＹの角部１１が固定ベース回転ストッパ１８に当たるまで回転させて、当該角部１１を固定ベース抜けストッパ１９の下に入れる。これにより、固定ベースＹの不用意な回転が防止され、上方への抜けが防止されて、敷板１の上に安定して配置固定される（図５（ｂ）、図８（ｂ））。
【００３３】
［固定ベースの取外し］
固定ベースＹを敷板１から取り外すときは次のようにして行うことができる。
（１）固定ベースＹを反時計回りに水平回転（前回と逆回転）させて、固定ベース抜けストッパ１９の下から外し、固定ベース回転空間１７から固定ベース出入口１６の外まで回転させて、固定ベースＹの角部１１を固定ベースセット部９に位置合わせする。
（２）前記のように位置合わせした固定ベースＹを持ち上げて、固定ベースＹを敷板１から取り外す。
【００３４】
（実施形態２）
前記したジャッキベース用凹部３と固定ベース用凹部４は全面を重ねて共用にしてあるが、本発明の敷板１では、図９に示すように、ジャッキベース用凹部３と固定ベース用凹部４を、横にずらして両凹部３、４の一部が外にはみ出すように配置することもできる。この場合は、夫々の凹部３、４の角部がセット部となり、夫々の凹部３、４の周囲に出入口１２、１６と、回転空間１３、１７と、回転ストッパ１４、１８と、抜けストッパ１５、１９を設ける。
【００３５】
（実施形態３）
本発明の敷板１は両凹部３、４の一方を基材２の表面に、他方を基材２の裏面に設けることもできる。この場合も、夫々の凹部３、４にセット部を設け、夫々の凹部３、４の周囲に回転空間と、回転ストッパと、抜けストッパを設ける。
【００３６】
（実施形態４）
敷板１は必ずしも平面に設置するとは限らず、図１０に示すように、段差のある箇所に設置する場合もある。この場合は、凹部３、４が基材２の中央部よりも基材２の外側寄り位置にある（上段位置にある）と安定するので、凹部３、４を基材２の中央部よりも外側より位置に設けるのが望ましい。
【００３７】
（その他の実施形態）
本発明の敷板は、本発明の課題を解決できる範囲で、構成、材質、形状等を変えることができる。
【産業上の利用可能性】
【００３８】
本発明の敷板１は、ジャッキベースＸや固定ベースＹを使用する建設現場や工事現場において、広く利用することができる。
【符号の説明】
【００３９】
１    敷板
２    基材
３    ジャッキベース用凹部
４    固定ベース用凹部
５    （基材の）上面
６    上面開口部
７    ジャッキベースセット部
８    （ジャッキベース用凹部の）辺
９    固定ベースセット部
１０  （ジャッキベースの）角部
１１  （固定ベースの）角部
１２  ジャッキベース出入口
１３  ジャッキベース回転空間
１４  ジャッキベース回転ストッパ
１５  ジャッキベース抜けストッパ
１６  固定ベース出入口
１７  固定ベース回転空間
１８  固定ベース回転ストッパ
１９  固定ベース抜けストッパ
Ｂｘ  （ジャッキベースの）ベース板
Ｂｙ  （固定ベースの）ベース板
Ｃｉ  内側の円形線
Ｃｏ  外側の円形線
Ｘ    ジャッキベース
Ｙ    固定ベース
【要約】
【課題】  一枚の基材に、ジャッキベースと固定ベースの双方を備え、それらを選択使用可能な敷板を提供する。
【解決手段】  一枚の基材が角形のジャッキベースを配置可能なジャッキベース用凹部と、角形の固定ベースを設置可能な固定ベース用凹部を備え、ジャッキベース用凹部と固定ベース用凹部は水平回転方向に角度をずらして設けられ、夫々の凹部は基材の上面よりも一段窪んでおり、夫々のベースを基材の上方から配置できるように上面開口になっており、夫々の凹部の外周部に夫々のベースの角部をセット可能なセット部と、セットされたベースを水平回転させて進入又は退出させることのできる出入口と、夫々の出入口から進入させたジャッキベース又は固定ベースを水平回転させることのできる回転空間と、回転空間内を回転したジャッキベース又は固定ベースの回転を停止して位置決めする回転ストッパと、位置決めされたジャッキベース又は固定ベースが鉛直方向に抜けるのを規制する抜けストッパを備えている。
【選択図】図１【図１】
0005869168.tif 000002
【図２】
0005869168.tif 000003
【図３】
0005869168.tif 000004
【図４】
0005869168.tif 000005
【図５】
0005869168.tif 000006
【図６】
0005869168.tif 000007
【図７】
0005869168.tif 000008
【図８】
0005869168.tif 000009
【図９】
0005869168.tif 000010
【図１０】
0005869168.tif 000011